(57)【要約】【課題】  既存のポットミル装置やポットを無駄にすることなくそのまま使用でき、しかも釉薬製造上の困難な作業であるポットの取り扱いを容易且つ安全に行える安価なポット吊り上げ装置を提供することにある。【解決手段】  走行可能な移動架台２の上部にポットＰを把持具７で把持して昇降させるチェーンブロック６を設け、移動架台２のチェーンブロック６下方にポットＰを置ける作業台４を取り外し自在に設け、移動架台２の作業台４下方に床面に置いたポットミル装置８を配置できる空間５を設け、重量を有するポットＰの移動作業を任意の場所で容易且つ安全に素早く行えるようにする。【選択図】図１
2006192383.tif 000002
【特許請求の範囲】
【請求項１】
上部に蓋付きの開口部を備えたポットに釉薬の原材料と粉砕用ボールを投入してポットミル装置でポットを回転させ、原材料を粉砕・撹拌して釉薬を製造する釉薬製造作業に用いられるポット吊り上げ装置であって、走行可能な移動架台の上部にポットを把持具で把持して昇降させる昇降機を設け、同昇降機下方の移動架台の位置にポットを置ける作業台を取り外し自在に設け、同作業台下方の移動架台の位置に床面に置いたポットミル装置を配置できる空間を設けたことを特徴とするポット吊り上げ装置。
【請求項２】
把持具を昇降機の昇降端に脱着自在に取り付けた請求項１記載のポット吊り上げ装置。
【請求項３】
移動架台が、下端にキャスターを備えた複数の支柱を横架材で連結し、同支柱に作業台を載せる桟材を設けた構成で、床面に置いたポットミル装置を支柱間で跨ぐように通過させて作業台下方の空間にポットミル装置を配置できるようにした請求項１又は２記載のポット吊り上げ装置。
【請求項４】
把持具が、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持するものである請求項１〜３いずれか記載のポット吊り上げ装置。
【請求項５】
被せ部材が、ポットの胴体上円部から底面上部に渡って保持するＬ字状部材をポットの一方の胴体面から底面を通って対向する胴体面に渡って保持するコ字状部材にポットの底面部分で連結し、ポットの間口部を係止する係止部材をＬ字状部材とコ字状部材に渡って連結し、ポットの胴体上円部を円周方向に沿って保持する上部Ｕ字状部材をＬ字状部材とコ字状部材に渡って連結した構造である請求項４記載のポット吊り上げ装置。
【請求項６】
被せ部材がポットを面状に覆う板材で構成したものである請求項４記載のポット吊り上げ装置。
【請求項７】
被せ部材のポット開口部側縁部とポット胴体側中央部に昇降機の昇降端を掛止する吊り輪をそれぞれ取り付けた請求項４〜６いずれか記載のポット吊り上げ装置。
【請求項８】
Ｕ字状部材の両端部に縦向きのポットの一方の胴体中央部・開口部上方・他方の胴体中央部を跨ぐ二叉吊り具を取り付けた請求項４〜７いずれか記載のポット吊り上げ装置。
【請求項９】
昇降機がチェーンブロックであって、同チェーンブロックのチェーン下端にポットの把持具を取り付けた請求項１〜８いずれか記載のポット吊り上げ装置。
【請求項１０】
請求項１〜９いずれか記載のポット吊り上げ装置に用いるポット把持用把持具であって、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持できるようにしたことを特徴とするポット把持用把持具。
【請求項１１】
被せ部材が、ポットの胴体上円部から底面上部に渡って保持するＬ字状部材をポットの一方の胴体面から底面を通って対向する胴体面に渡って保持するコ字状部材にポットの底面部分で連結し、ポットの間口部を係止する係止部材をＬ字状部材とコ字状部材に渡って連結し、ポットの胴体上円部を円周方向に沿って保持する上部Ｕ字状部材をＬ字状部材とコ字状部材に渡って連結した構造である請求項１０記載のポット把持用把持具。
【請求項１２】
被せ部材がポットを面状に覆う板材で構成したものである請求項１０記載のポット把持用把持具。
【請求項１３】
被せ部材のポット開口部側縁部とポット胴体側中央部に昇降機の昇降端を掛止する吊り輪をそれぞれ取り付けた請求項１０〜１２いずれか記載のポット把持用把持具。
【請求項１４】
Ｕ字状部材の両端部に縦向きのポットの一方の胴体中央部・開口部上方・他方の胴体中央部を跨ぐ二叉吊り具を取り付けた請求項１０〜１３いずれか記載のポット把持用把持具。
【発明の詳細な説明】
【技術分野】
【０００１】
本発明は、陶磁器用の釉薬の製造時に使用するポットの取り扱いの安全性向上と労力軽減を図るポット吊り上げ装置に関する。
【背景技術】
【０００２】
通常、陶磁器を作る場合は素焼き段階で釉薬が塗られる。釉薬は焼成によってガラス質になり、水の浸透を防ぐとともに表面を滑らかにし、その上艶を出し、色彩も鮮かにしてくれる。この釉薬は原材料及び磁器製の粉砕用ボールと水を磁器製のポットに入れ、蓋を閉めて密閉してポットミル装置に載置し、ポットを回転することにより原材料が粉砕用ボールによって粉砕されて撹拌調合される。このポットミル装置は平行な２本の回転軸にローラーが２本ずつ固定されており、一方の回転軸が電動モーターにより回転させられるように構成されている。このポットミル装置の４個のローラーの上にポットを載置し、電動モーターを駆動することによりポットがその中心線の回りに回転させられ、ポット内の原材料が粉砕されて撹拌調合される。
【０００３】
ところで、問題はこのポットミル装置を使用して行なわれる釉薬製造工程におけるポットの取り扱いに関する作業である。ポットは磁器製であり、特に専用の保持箇所もなく、しかもその重量は小さいもので１０ｋｇ、通常２０ｋｇから４０ｋｇ程度ある。釉薬製造の最初の工程はポットに原材料を投入することから始まるが、ポットに原材料を投入するためにはポットの開口部を上にして立てねばならず人力でポットを取り扱うのは困難であった。また、原材料や粉砕用ボール、それに水を入れたポットの重量は４５ｋｇから６５ｋｇ程度にもなるため、ポットをポットミル装置に載置するのも困難な作業であった。さらに、撹拌調合の終了後にポットミル装置から取り外し、ポットを持ち上げて釉薬を釉薬保存容器に注出する作業も人手で行うのは困難であり危険な作業であった。
【０００４】
そこで、このような課題を解決できるポットミル装置（特許文献１参照）やポットミル装置及びポット用抽出具（特許文献２参照）が案出され、ポット取り扱い上の困難性を軽減している。しかし、これらはポットミル装置の発明であり、前者においては予め所定のポットを備えた構成となっているため、既存のポットを取り付けて使用することができず、高価な新規のポットミル装置や専用のポットを準備する必要があった。また、後者の発明の場合、ポットは既存のものを利用できるが既存のポットミル装置は利用できず、前者に比べ高価なポットミル装置を準備しなければならなかった。
【特許文献１】実開昭５６−５４９４３号公報
【特許文献２】特開平７−１７１４２９号公報
【発明の開示】
【発明が解決しようとする課題】
【０００５】
本発明が解決しようとする課題は、従来のこれらの問題点を解消し、既存のポットミル装置やポットを無駄にすることなくそのまま使用でき、しかも釉薬製造上の困難な作業であるポットの取り扱いを容易且つ安全に行える安価なポット吊り上げ装置を提供することにある。
【課題を解決するための手段】
【０００６】
かかる課題を解決した本発明の構成は、
１）  上部に蓋付きの開口部を備えたポットに釉薬の原材料と粉砕用ボールを投入してポットミル装置でポットを回転させ、原材料を粉砕・撹拌して釉薬を製造する釉薬製造作業に用いられるポット吊り上げ装置であって、走行可能な移動架台の上部にポットを把持具で把持して昇降させる昇降機を設け、同昇降機下方の移動架台の位置にポットを置ける作業台を取り外し自在に設け、同作業台下方の移動架台の位置に床面に置いたポットミル装置を配置できる空間を設けたことを特徴とするポット吊り上げ装置
２）  把持具を昇降機の昇降端に脱着自在に取り付けた前記１）記載のポット吊り上げ装置
３）  移動架台が、下端にキャスターを備えた複数の支柱を横架材で連結し、同支柱に作業台を載せる桟材を設けた構成で、床面に置いたポットミル装置を支柱間で跨ぐように通過させて作業台下方の空間にポットミル装置を配置できるようにした前記１）又は２）記載のポット吊り上げ装置
４）  把持具が、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持するものである前記１）〜３）いずれか記載のポット吊り上げ装置
５）  被せ部材が、ポットの胴体上円部から底面上部に渡って保持するＬ字状部材をポットの一方の胴体面から底面を通って対向する胴体面に渡って保持するコ字状部材にポットの底面部分で連結し、ポットの間口部を係止する係止部材をＬ字状部材とコ字状部材に渡って連結し、ポットの胴体上円部を円周方向に沿って保持する上部Ｕ字状部材をＬ字状部材とコ字状部材に渡って連結した構造である前記４）記載のポット吊り上げ装置
６）  被せ部材がポットを面状に覆う板材で構成したものである前記４）記載のポット吊り上げ装置
７）  被せ部材のポット開口部側縁部とポット胴体側中央部に昇降機の昇降端を掛止する吊り輪をそれぞれ取り付けた前記４）〜６）いずれか記載のポット吊り上げ装置
８）  Ｕ字状部材の両端部に縦向きのポットの一方の胴体中央部・開口部上方・他方の胴体中央部を跨ぐ二叉吊り具を取り付けた前記４）〜７）いずれか記載のポット吊り上げ装置
９）  昇降機がチェーンブロックであって、同チェーンブロックのチェーン下端にポットの把持具を取り付けた前記１）〜８）いずれか記載のポット吊り上げ装置
１０）  前記１）〜９）いずれか記載のポット吊り上げ装置に用いるポット把持用把持具であって、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持できるようにしたことを特徴とするポット把持用把持具
１１）  被せ部材が、ポットの胴体上円部から底面上部に渡って保持するＬ字状部材をポットの一方の胴体面から底面を通って対向する胴体面に渡って保持するコ字状部材にポットの底面部分で連結し、ポットの間口部を係止する係止部材をＬ字状部材とコ字状部材に渡って連結し、ポットの胴体上円部を円周方向に沿って保持する上部Ｕ字状部材をＬ字状部材とコ字状部材に渡って連結した構造である前記１０）記載のポット把持用把持具
１２）  被せ部材がポットを面状に覆う板材で構成したものである前記１０）記載のポット把持用把持具
１３）  被せ部材のポット開口部側縁部とポット胴体側中央部に昇降機の昇降端を掛止する吊り輪をそれぞれ取り付けた前記１０）〜１２）いずれか記載のポット把持用把持具
１４）  Ｕ字状部材の両端部に縦向きのポットの一方の胴体中央部・開口部上方・他方の胴体中央部を跨ぐ二叉吊り具を取り付けた前記１０）〜１３）いずれか記載のポット把持用把持具
にある。
【発明の効果】
【０００７】
本発明によれば、釉薬調合の際ポットミル装置上に置かれたポットを作業台に移動させる作業や、原材料と粉砕用ボールと水を投入し、ポットの蓋を閉じて密閉状態でポットミル装置に再度載置する作業、出来上がった釉薬をポットから釉薬保存容器へ移し替えるため、ポットミル装置からポットを持ち上げて移動し、密閉した蓋を開けて中の釉薬を釉薬保存容器へ移し替える作業等、釉薬製造におけるポット取り扱い上の重労働且つ危険で困難な工程を任意の場所で容易且つ安全に素早く行える。
【発明を実施するための最良の形態】
【０００８】
本発明の移動架台は、上部にポットを把持具で把持して吊り上げるためのチェーンブロック又はクレーン等の昇降機が取り付けられ、その下方にポットを一時的に載置して簡単な釉薬調合作業を行える作業台を取り外し自在に備え、４本の支柱にキャスター等の移動手段を設けて任意の場所まで走行できるようにする。移動架台の支柱の間隔はポットミル装置の側面の幅より大きく配置し、ポットミル装置を跨ぐように通過させて作業台の下方に配置できるようにする。以下、本発明の実施例を図面に基づいて具体的に説明する。
【実施例１】
【０００９】
図１は実施例のポット吊り上げ装置の正面図、図２は実施例のポット吊り上げ装置の側面図、図３は実施例の把持具の斜視図、図４は実施例の他の例の把持具の斜視図、図５，６は実施例の把持具をポットに装着した状態を示す説明図、図７〜９は実施例のポット吊り上げ装置の使用状態を示す説明図である。
【００１０】
図中、１はポット吊り上げ装置、２は移動架台、２ａは支柱、２ｂは桟材、２ｃ，２ｄは横架材、３はキャスター、４は作業台、５は空間、６はチェーンブロック、６ａはフック、７は把持具、７ｘは被せ部材、７ｙは下部Ｕ字状部材、７ｚはＵ字状部材楕円ネジ孔、７ａはＬ字状部材、７ｂはコ字状部材、７ｃは係止部材、７ｄは上部Ｕ字状部材、７ｅは吊り輪、７ｆはネジ、７ｇは蝶ネジ、７ｈは被せ部材、７ｉはベルト孔、７ｊはベルト、８はポットミル装置、８ａは回転軸、８ｂはローラー、８ｃは電動モーター、９は装置台、１０は釉薬保存容器、１１は移し替え台、１２は原材料、１３は粉砕用ボール、１４は水、１５は荷締めベルト、１６は二叉吊り具、Ｐはポット、Ｐａは蓋である。
【００１１】
本実施例のポット吊り上げ装置１は、図１，２に示すように下端にキャスター３を取り付けた４本の支柱２ａをポットミル装置８の幅より大きい間隔をおいて配置し、支柱２ａ間の上端と下端を横架材２ｃ，２ｄで連結して上端の横架材２ｃにチェーンブロック６を吊設し、横架材２ｃの下方の両側に桟材２ｂを取り付けて作業台４を取り外し自在に載置している。
【００１２】
把持具７は、図３，５に示すようにポットＰの胴体上円部から底面上部に渡って保持するＬ字状部材７ａをポットＰの一方の胴体面から底面を通って対向する胴体面に渡って保持するコ字状部材７ｂにポットＰの底面部分で連結し、ポットＰの間口部を係止する係止部材７ｃをＬ字状部材７ａとコ字状部材７ｂに渡って連結し、ポットＰの胴体上円部を円周方向に沿って巻き付けるようにして保持する上部Ｕ字状部材７ｄをＬ字状部材７ａとコ字状部材７ｂに渡って連結した被せ部材７ｘと、ポットＰの胴体下円部を円周方向に沿って巻き付けるように保持する下部Ｕ字状部材７ｙから構成され、ポットＰの拘束把持は被せ部材７ｘと下部Ｕ字状部材７ｙの交点で蝶ネジ７ｇにより連結することで成される。また、Ｌ字状部材７ａのポットＰの開口部側縁部とポットＰの胴体側中央部にチェーンブロック６のフック６ａを掛止する吊り輪７ｅをそれぞれ取り付けている。各連結部はネジ７ｆや蝶ネジ７ｇで固定して強度を保持している。尚、実施例では被せ部材７ｘの材料にＣチャンネル・フラットバー等の材料を用いて線で当接したが、板材を用いた被せ部材７ｈでポットＰを面で当接してベルト７ｊで緊締しても問題ない（図４参照）。
【００１３】
まず、ポットＰがポットミル装置８の上に横たわった状態で載置されている状態においてポットＰを作業台４に移動させるには、ポット吊り上げ装置１をポットミル装置８を跨ぐように移動して作業台４の下方の空間５に据え付ける。そして、図７（ａ）に示すように作業台４を移動又は取り外し、ポットＰを吊り上げ可能な空間を作る。次に、荷締めベルト１５をチェーンブロック６のフック６ａとポットＰの蓋Ｐａの出っ張りに引っ掛け、チェーンブロック６を上昇操作し、ポットミル装置８のローラー８ｂとポットＰの胴体面との間に多少の隙間を作り、図７（ｂ）に示すようにその隙間に下部Ｕ字状部材７ｙを差し込んでポットＰの胴体下円部を円周方向に沿って巻き付け、それが終わるとチェーンブロック６を下降操作してポットＰを元の状態に戻す。
【００１４】
次に、図７（ｃ）に示すようにポットＰの胴体上円部にポットＰの保持及び抜け出し防止のための被せ部材７ｘを被せ、下部Ｕ字状部材７ｙとの交点を蝶ネジ７ｇで連結固定する。その後、図８（ａ）に示すようにチェーンブロック６を利用して吊り上げる。そのとき、ポットＰの開口部側の吊り輪７ｅを使用することによりポットＰは開口部が上を向いた状態で吊り上げられる。ある程度吊り上がった状態で作業台４を元の状態に戻してチェーンブロック６のフック６ａを下降させ、作業台４の上にポットＰを降ろし、図８（ｂ）に示すように釉薬の原材料１２、粉砕用ボール１３、水１４を入れるなど釉薬調合作業をする。なお、他の場所でこの作業をするのにも支柱２ａにキャスター３を有しているため可能である。
【００１５】
次に、原材料１２、粉砕用ボール１３、水１４の投入が完了したポットＰは再びポットミル装置８に載置されなければならない。今度は、ポット８を作業台４に移動させた方法と逆の手順で作業を行う。このときチェーンブロック６のフック６ａはポットＰの胴体側中央部の吊り輪７ｅを使用し、チェーンブロック６のフック６ａを上昇させる。ポットＰの胴体側中央部の吊り輪７ｅを使用することによりポットＰはほぼ横向きに水平に吊り上げられる。その後、図８（ｃ）に示すように作業台８を移動又は取り外し、その空間にチェーンブロック６のフック６ａを下降させてポットミル装置８に載置させる。その後、ポットＰから把持具７を取り外し、ポットミル装置８を運転し、粉砕調合撹拌して釉薬を製造する。
【００１６】
次に、釉薬の調合が終わったなら、釉薬保存容器１０に移し替える工程に移る。手順は前記ポットミル装置８から作業台４への移動方法と同じである。移し替え台１１を作業台４の下に設置し、図９（ａ）に示すようにチェーンブロック６でポットＰを持ち上げて作業台４を移動又は取り外し、図９（ｂ）に示すように下部にある移し替え台１１へ載せ替え、ポットＰを傾けて中身の釉薬を釉薬保存容器１０に注出する。なお、他の方法として下部Ｕ字状部材７ｙの両端のＵ字状部材楕円ネジ孔７ｚとチェーンブロック６のフック６ａの間に二叉吊り具１６を介してポットＰを垂直に吊り上げ、ポットＰの底面を持って反転させて中身の釉薬を排出することも可能である（図６参照）。
【産業上の利用可能性】
【００１７】
本発明のポット吊り上げ装置は、釉薬の製造以外に重量を有する様々な容器等の吊り上げ及び移し替え作業等に幅広く応用できる。
【図面の簡単な説明】
【００１８】
【図１】実施例のポット吊り上げ装置の正面図である。
【図２】実施例のポット吊り上げ装置の側面図である。
【図３】実施例の把持具の斜視図である。
【図４】実施例の他の例の把持具の斜視図である。
【図５】実施例の把持具をポットに装着した状態を示す説明図である。
【図６】実施例の把持具をポットに装着した状態を示す説明図である。
【図７】実施例のポット吊り上げ装置の使用状態を示す説明図である。
【図８】実施例のポット吊り上げ装置の使用状態を示す説明図である。
【図９】実施例のポット吊り上げ装置の使用状態を示す説明図である。
【符号の説明】
【００１９】
１  ポット吊り上げ装置
２  移動架台
２ａ  支柱
２ｂ  桟材
２ｃ，２ｄ  横架材
３  キャスター
４  作業台
５  空間
６  チェーンブロック
６ａ  フック
７  把持具
７ｘ  被せ部材
７ｙ  下部Ｕ字状部材
７ｚ  Ｕ字状部材楕円ネジ孔
７ａ  Ｌ字状部材
７ｂ  コ字状部材
７ｃ  係止部材
７ｄ  上部Ｕ字状部材
７ｅ  吊り輪
７ｆ  ネジ
７ｇ  蝶ネジ
７ｈ  被せ部材
７ｉ  ベルト孔
７ｊ  ベルト
８  ポットミル装置
８ａ  回転軸
８ｂ  ローラー
８ｃ  電動モーター
９  装置台
１０  釉薬保存容器
１１  移し替え台
１２  原材料
１３  粉砕用ボール
１４  水
１５  荷締めベルト
１６  二叉吊り具
Ｐ  ポット
Ｐａ  蓋
【図１】
2006192383.tif 000003
【図２】
2006192383.tif 000004
【図３】
2006192383.tif 000005
【図４】
2006192383.tif 000006
【図５】
2006192383.tif 000007
【図６】
2006192383.tif 000008
【図７】
2006192383.tif 000009
【図８】
2006192383.tif 000010
【図９】
2006192383.tif 000011
【手続補正書】
【提出日】平成17年8月12日(2005.8.12)
【手続補正１】
【補正対象書類名】特許請求の範囲
【補正対象項目名】請求項１
【補正方法】変更
【補正の内容】
【請求項１】
上部に蓋付きの開口部を備えたポットに釉薬の原材料と粉砕用ボールを投入してポットミル装置でポットを回転させ、原材料を粉砕・撹拌して釉薬を製造する釉薬製造作業に用いられるポット吊り上げ装置であって、走行可能な移動架台の上部にポットを把持具で把持して昇降させる昇降機を設け、同昇降機下方の移動架台の位置にポットを置ける作業台を取り外し自在に設け、同作業台下方の移動架台の位置に床面に置いたポットミル装置を配置できる空間を設け、しかも把持具が、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持するものであるポット吊り上げ装置。
【手続補正２】
【補正対象書類名】特許請求の範囲
【補正対象項目名】請求項３
【補正方法】変更
【補正の内容】
【請求項３】
移動架台が、下端にキャスターを備えた複数の支柱を横架材で連結し、同支柱に作業台を載せる桟材を設けた構成で、床面に置いたポットミル装置を支柱間で跨ぐように通過させて作業台下方の空間にポットミル装置を配置できるようにした請求項１記載のポット吊り上げ装置。
【手続補正３】
【補正対象書類名】特許請求の範囲
【補正対象項目名】請求項４
【補正方法】変更
【補正の内容】
【請求項４】
上部に蓋付きの開口部を備えたポットに釉薬の原材料と粉砕用ボールを投入してポットミル装置でポットを回転させ、原材料を粉砕・撹拌して釉薬を製造する釉薬製造作業に用いられるポット吊り上げ装置であって、走行可能な移動架台の上部にポットを把持具で把持して昇降させる昇降機を設け、同昇降機下方の移動架台の位置にポットを置ける作業台を取り外し自在に設け、同作業台下方の移動架台の位置に床面に置いたポットミル装置を配置できる空間を設け、しかも把持具が、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持するものであり、更に把持具を昇降機の昇降端に脱着自在に取り付け、移動架台が下端にキャスターを備えた複数の支柱を横架材で連結し、同支柱に作業台を載せる桟材を設けた構成で、床面に置いたポットミル装置を支柱間で跨ぐように通過させて作業台下方の空間にポットミル装置を配置できるようにしたポット吊り上げ装置。
【手続補正４】
【補正対象書類名】明細書
【補正対象項目名】０００６
【補正方法】変更
【補正の内容】
【０００６】
かかる課題を解決した本発明の構成は、
１）  上部に蓋付きの開口部を備えたポットに釉薬の原材料と粉砕用ボールを投入してポットミル装置でポットを回転させ、原材料を粉砕・撹拌して釉薬を製造する釉薬製造作業に用いられるポット吊り上げ装置であって、走行可能な移動架台の上部にポットを把持具で把持して昇降させる昇降機を設け、同昇降機下方の移動架台の位置にポットを置ける作業台を取り外し自在に設け、同作業台下方の移動架台の位置に床面に置いたポットミル装置を配置できる空間を設け、しかも把持具が、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持するものであるポット吊り上げ装置
２）  把持具を昇降機の昇降端に脱着自在に取り付けた前記１）記載のポット吊り上げ装置
３）  移動架台が、下端にキャスターを備えた複数の支柱を横架材で連結し、同支柱に作業台を載せる桟材を設けた構成で、床面に置いたポットミル装置を支柱間で跨ぐように通過させて作業台下方の空間にポットミル装置を配置できるようにした前記１）記載のポット吊り上げ装置
４）  上部に蓋付きの開口部を備えたポットに釉薬の原材料と粉砕用ボールを投入してポットミル装置でポットを回転させ、原材料を粉砕・撹拌して釉薬を製造する釉薬製造作業に用いられるポット吊り上げ装置であって、走行可能な移動架台の上部にポットを把持具で把持して昇降させる昇降機を設け、同昇降機下方の移動架台の位置にポットを置ける作業台を取り外し自在に設け、同作業台下方の移動架台の位置に床面に置いたポットミル装置を配置できる空間を設け、しかも把持具が、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持するものであり、更に把持具を昇降機の昇降端に脱着自在に取り付け、移動架台が下端にキャスターを備えた複数の支柱を横架材で連結し、同支柱に作業台を載せる桟材を設けた構成で、床面に置いたポットミル装置を支柱間で跨ぐように通過させて作業台下方の空間にポットミル装置を配置できるようにしたポット吊り上げ装置
５）  被せ部材が、ポットの胴体上円部から底面上部に渡って保持するＬ字状部材をポットの一方の胴体面から底面を通って対向する胴体面に渡って保持するコ字状部材にポットの底面部分で連結し、ポットの間口部を係止する係止部材をＬ字状部材とコ字状部材に渡って連結し、ポットの胴体上円部を円周方向に沿って保持する上部Ｕ字状部材をＬ字状部材とコ字状部材に渡って連結した構造である前記４）記載のポット吊り上げ装置
６）  被せ部材がポットを面状に覆う板材で構成したものである前記４）記載のポット吊り上げ装置
７）  被せ部材のポット開口部側縁部とポット胴体側中央部に昇降機の昇降端を掛止する吊り輪をそれぞれ取り付けた前記４）〜６）いずれか記載のポット吊り上げ装置
８）  Ｕ字状部材の両端部に縦向きのポットの一方の胴体中央部・開口部上方・他方の胴体中央部を跨ぐ二叉吊り具を取り付けた前記４）〜７）いずれか記載のポット吊り上げ装置
９）  昇降機がチェーンブロックであって、同チェーンブロックのチェーン下端にポットの把持具を取り付けた前記１）〜８）いずれか記載のポット吊り上げ装置
１０）  前記１）〜９）いずれか記載のポット吊り上げ装置に用いるポット把持用把持具であって、横向きのポットの開口部を除く縁部・胴体上円部・底面上部に被せる被せ部材と、胴体下円部を円周方向に沿って保持するＵ字状部材とで構成され、同被せ部材を横向きのポットの上部に被せ、同Ｕ字状部材でポットの下部を保持し、被せ部材とＵ字状部材を連結固定することでポットを拘束把持できるようにしたことを特徴とするポット把持用把持具
１１）  被せ部材が、ポットの胴体上円部から底面上部に渡って保持するＬ字状部材をポットの一方の胴体面から底面を通って対向する胴体面に渡って保持するコ字状部材にポットの底面部分で連結し、ポットの間口部を係止する係止部材をＬ字状部材とコ字状部材に渡って連結し、ポットの胴体上円部を円周方向に沿って保持する上部Ｕ字状部材をＬ字状部材とコ字状部材に渡って連結した構造である前記１０）記載のポット把持用把持具
１２）  被せ部材がポットを面状に覆う板材で構成したものである前記１０）記載のポット把持用把持具
１３）  被せ部材のポット開口部側縁部とポット胴体側中央部に昇降機の昇降端を掛止する吊り輪をそれぞれ取り付けた前記１０）〜１２）いずれか記載のポット把持用把持具
１４）  Ｕ字状部材の両端部に縦向きのポットの一方の胴体中央部・開口部上方・他方の胴体中央部を跨ぐ二叉吊り具を取り付けた前記１０）〜１３）いずれか記載のポット把持用把持具
にある。